(57)【特許請求の範囲】
【請求項１】
サイフォン排水方法の改良に係り、水回り器具からの横引き管を任意の位置で階下へ垂下させ、サイフォン排水に必要な水頭を確保し、当該垂下先端を階下の合流継手に接続された勾配排水管に接続することを特徴とする排水配管方法。
【請求項２】
前記横引き管を、パイプシャフトスペース内で階下へ垂下させた請求項１記載の排水配管方法。
【請求項３】
階下の勾配排水管は、当該階の水回り排水に用いられていない新設の排水管である請求項１又は２記載の排水配管方法。
【請求項４】
階下の勾配排水管は、当該階の水回り排水に用いられている排水管である請求項１又は２記載の排水配管方法。
【請求項５】
階下の勾配排水管は、階上から垂下された横引き管先端の位置にまで伸ばされた請求項１乃至４いずれか１に記載の排水配管方法。
【請求項６】
階下の勾配排水管は、階上から垂下された複数の横引き管先端に接続された請求項１乃至５いずれか１に記載の排水配管方法。
【発明の詳細な説明】
【技術分野】
【０００１】
本発明は、主として集合住宅用建造物の排水配管方法に関するものである。
【背景技術】
【０００２】
従来型の建造物の勾配排水方法では、横引き管に所定の勾配を取るため、横引き管が長い場合には床下も大きくすることで対応していた。従って、この勾配を利用した排水方法にあっては、横引き管の長さが長い配管設計では床下空間を多大に取る必要があり、階高が上がったり、縦方向への居住空間が狭くなっていた。
【０００３】
かかる欠点を解消すべく、サイフォン排水方法が提案されている（特許文献１）。サイフォン排水方法の概要は、排水立て管、水回り器具、横引き管、立て管への合流部からなり、水回り器具には管径が２０Ａ程度のパイプが接続され、床に対して無勾配で配管され、これが途中で合流することなく、合流部へ接続されるものである。そして、この合流部は水回り器具がある床（階）よりも低い位置（好ましくは１階分階下）に形成されたものであり、その水頭（落差）Ｈｓの分だけサイフォン力が生じるものであり、パイプ内にはエアがなく排水は満流流れにて排水されることとなる。
【０００４】
【特許文献１】特開２０００ー２９７４４７号公報
【０００５】
このサイフォン排水方法では横引き管に勾配をつけないため床下空間に余裕がもてるが、横引き管が長い場合（後述するＬ０ ）にはサイフォン開始時間が長くかかる。このため、器具によっては排水があふれ出てしまうため施工できない物件もあった。即ち、サイフォン排水方法では、設計可能領域内でのみの設計であり、特に横引き管の長さに限界があった。
【０００６】
しかし、近年のマンションでは、間取りの自由度や高級指向等から、水回りを他のフロアとは異なり、南側にもってくることが好まれ、立て管から水回りまでの横引き管の長さが長い物件が増えている。しかるに、横引き管の長さに限界がある勾配排水方法もサイフォン排水方法もこれに十分対応できるものではなかった。逆に言えば、排水に関してはその横引き管の制約範囲内に排水立て管がなければならないということになっており、水回りの設計において大きな制約条件となり、水回り設計の自由度が少なかった。
【発明の開示】
【発明が解決しようとする課題】
【０００７】
本発明は以上の従来の技術に鑑みてなされたものであり、立て管から水回りまでの横引き管の長さが長い場合でも配管が可能なサイフォン排水方法を提供するものである。
【課題を解決するための手段】
【０００８】
本発明の要旨は、サイフォン排水方法の改良に係り、水回り器具からの横引き管を任意の位置（Ｌｈ：Ｌ０ ＞Ｌｈ）で階下へ垂下させ、サイフォン排水に必要な水頭を確保し、当該垂下先端を階下の勾配排水管に接続することを特徴とする排水配管方法に係るものである。
【発明の効果】
【０００９】
本発明のサイフォン排水方法は、立て管から水回りまでの横引き管の長さが長い場合でも配管が可能な排水配管方法を提供するものであり、特に言えば、リフォーム時における水回り位置の変更や増設に極めて簡単に対処できたものである。
【発明を実施するための最良の形態】
【００１０】
サイフォン排水方法では横引き管に勾配をつけないため床下空間に余裕がもてるが、横引き管が長い場合にはサイフォン開始時間が長くかかってしまう。このため、排水があふれ出てしまう場合もあるため、施工できない物件もあった。即ち、サイフォン排水方法では、設計可能領域内でのみの設計であり、特に横引き管の長さに限界があった。
【００１１】
本発明は予定される排水量とサイフォン開始時間との関係上、横引き管の長さを全て無勾配に配管するのではなく、適度な長さに横引きした後に階下に向けて垂下させるものであり、この垂下させた管の先端まで階下に備えた勾配をもって備えられた排水管を設置するという排水方法である。この垂下させた落差がサイフォン水頭Ｈｓとなるものである。尚、本発明にあって、横引き管を垂下させるが、必ずしも垂直に下げる必要はなく、階下に向けて傾斜配置させてもよいことは言うまでもない。
【００１２】
階下の排水管側から見れば、サイフォン力をもたらすために垂下された管の先端に対し、かかる管からの排水を受けに配管されるものであり、垂下させるスペースとしては、例えば壁内、壁間、収納スペース、パイプシャフトスペース（ＰＳ）等で階下へ垂下させ、必要な水頭を確保し、その端部は階下の排水管が排水を受けにくることで問題点を解決したものである。
【００１３】
尚、階下の勾配排水管は、当該階の水回り器具排水に用いられており、或いは排水に用いられていない新設の排水管であって、後者の場合の適用形態としては、リフォームによって水回り器具の位置を変更したり、増設したしする際に、合流継手に新たな排水管を繋ぎ、これをもって適用する場合に特に効果的である。更に、かかる階下の排水管には複数の垂下されたサイフォン排水管を繋いでもよいことは勿論である。
【実施例】
【００１４】
以下、実施例をもって本発明を更に詳細に説明する。図１は本発明の排水方法の概念図であり、例えば４階にサイフォン排水システムを適用した例である。符号１は排水立て管、２は３階に備えられた合流継手、３は水回り器具としてのユニットバスを示す。
【００１５】
上記の４階にあって、ユニットバス３のトラップより細径（例えば２０Ａ）のポリブテン管６が無勾配をもって敷設され、このポリブテン管６はそのままＰＳ内を通って階下に垂下させたものである。そして、ポリブテン管６はその横引き長さはさほど長いものではなく、これがそのまま３階に向けて垂下させたため、水頭Ｈｓにより横引き管６内の水にサイフォン力が作用し、洗い場側にあふれ出ることなく排水ができることとなったものである。
【００１６】
しかるに、今までのサイフォン排水工法をそのまま採用した場合には、横引き管６は排水立て管１のＰＳにまで床面に添って敷設されるために、横引き長さが長くなり、これによってサイフォン開始時間が遅れ、その間に洗い場側に排水があふれ出してしまうケースがあったが、本発明は、横引き管６の横引き長さを短くして階下に垂下させたものであり、その分、これを階下における勾配を付した横引き管１０（通常は管径が５０Ａ）にて排水を迎え受けることとしたものであり、サイフォン開始時間の遅れがなく排水があふれ出るという欠点を解消したものである。
【００１７】
階下における勾配を付けた横引き管１０はそのまま３階に備えられた合流継手２に繋がっており、横引き管１０に到達した排水は管１０内を満流流れとならず、通常の勾配による流れにて排水されることとなる。好ましくは、かかる管１０は既設の配管を用いず、新たに合流継手に接続した管を用いるのがリフォーム等の際には効果的である。
【産業上の利用可能性】
【００１８】
今まで横引き管の長さが長くてサイフォン排水が敷設できなかった間取りにおいてもサイフォン排水施工ができ、排水管敷設の点では水回り器具のレイアウトが自由に設計できることとなったものである。そして、特にリフォーム時の水回り設計が極めて自由となったものであり、既存のシステムをそのままにして配管施工できる等その効果は大きいものである。
【図面の簡単な説明】
【００１９】
【図１】図１は本発明の排水方法の概念図である。
【符号の説明】
【００２０】
１‥排水立て管、
２‥合流継手、
３‥水回り器具（ユニットバス）、
５‥勾配排水工法における横引き管、
６‥サイフォン排水工法における横引き管、
１０‥階下における勾配排水管、
Ｈｓ‥水頭。
【図１】
0004666609.tif 000002